(57)【要約】【課題】従来、サーバから配信した情報がどのくらい効果をもってユーザに届き、どのくらいの利益に結びついているかを把握し、効率的な情報配信を行うこと。【解決手段】情報表示装置１３は、所定の動作が行われた際に記憶媒体１５に特典情報を書き込む特典情報書き込み手段２５と、記憶媒体の特典が使用された履歴を示す特典情報使用履歴情報を記憶媒体１５より読み出す履歴情報読出し２６とを備え、特典情報書き込み手段２５により書き込まれた特典情報の書き込み履歴を記す特典情報書き込み履歴情報と特典情報使用履歴情報とをサーバ１１へ通信することによって、サーバ１１にて顧客の使用情報を集めることができ、サーバ１１から配信した特典情報の効果を把握することができる。【選択図】図２
2006323628.tif 000002
【特許請求の範囲】
【請求項１】
ネットワークで接続されたサーバと情報のやりとりを行って情報を表示する情報表示装置において、
前記情報表示装置で所定の動作が行われた際に記憶媒体に特典情報を書き込む特典情報書き込み手段と、前記特典情報書き込み手段により書き込まれた特典情報の書き込み履歴を記した特典情報書き込み履歴情報を保持する履歴保持手段と、前記記憶媒体の特典情報が使用された履歴を示す特典情報使用履歴情報を前記記憶媒体より読み出す履歴情報読出し手段と、を備え、
前記特典情報書き込み履歴情報と前記特典情報使用履歴情報とを通信手段によって前記サーバへ通信することを特徴とした情報表示装置。
【請求項２】
前記情報表示装置において、記憶媒体から識別情報を読み出しあらかじめ登録されている記憶媒体であるか否かを認証する記憶媒体認証手段を備え、前記識別情報を読み込んだ際にあらかじめ登録されている記憶媒体であった場合のみに特典情報書き込み履歴情報と特典情報使用履歴情報とをサーバへ送信する請求項１に記載の情報表示装置。
【請求項３】
前記情報表示装置において、エネルギーの使用量を計測するメータ装置と通信するエネルギー使用量取得手段を備え、前記エネルギー使用量取得手段によって取得されたエネルギーの使用量情報に応じて前記特典情報を記憶媒体に書き込む請求項１または２に記載の情報表示装置。
【請求項４】
請求項１〜３のいずれか１項に記載の情報表示装置の少なくとも一つの手段をコンピュータに実行させるためのプログラム。
【発明の詳細な説明】
【技術分野】
【０００１】
本発明は情報表示装置およびそのプログラムに関するものであり、情報配信の効果を的確に把握する技術に関するものである。
【背景技術】
【０００２】
近年、インターネット技術の発達により、ネットワークを通じてさまざまな情報を簡単に発信することが可能となってきた。しかし、あまりにも多くの情報が氾濫している為、コストをかけて発信した情報がどのくらい効果をもって、どのくらいの利益に結びついているかを把握し、効率的な情報配信を行うことは困難なこととなっている。
【０００３】
そのため、情報を配信の効果を把握する為の技術として特許文献１〜３に示されるような技術が公開されている。
【０００４】
特許文献１、２に記されるシステムでは、サーバから情報を発信し、端末にて表示した情報がユーザに認識され、クーポン券のような優待情報をユーザがサーバから取得した時点で、広告効果を判定している。
【０００５】
また、特許文献３では優待情報が各販売店にて使用されたか否かを判定するシステムを備えている。
【特許文献１】特開２００５−４４２８７号公報
【特許文献２】特開２００４−３０９８３６号公報
【特許文献３】特開２００３−１４１４１１号公報
【発明の開示】
【発明が解決しようとする課題】
【０００６】
しかしながら、前述の特許文献１、２に記されるシステムでは、サーバから情報を発信し、端末にて表示した情報がユーザに認識され、クーポン券のような優待情報をユーザがサーバから取得した時点で、広告効果を判定しているが、実際にはその優待情報が使用されたか否かを把握することはできず、発信した情報が最終的にどのような集客効果を発揮し、どのくらいの利得をもたらしたかを正確に把握することは困難である。
【０００７】
また、前記優待情報が各販売店にて使用されたか否かを判定するシステムを備える特許文献３のようなシステムでは、販売店もネットワークシステムを持つことが必須条件となり、大手チェーン店など全国数万箇所を持つ店舗すべてにこのシステムを導入するためには、大規模で安定したネットワークシステムを構築せねばならず、また、個々の店舗にもそれなりの対応や教育が必要となってくるので、大きな負担をかけるなどの課題を有していた。
【０００８】
本発明は、前記従来の課題を解決するもので、店側に大きなシステムを導入することなく、サーバにて顧客の使用情報を集めることができ、サーバから配信した特典情報の効果を簡易なシステムで把握できるシステムを提供することを目的とする。
【課題を解決するための手段】
【０００９】
前記従来の課題を解決するために、本発明の情報表示装置は、ネットワークに接続されたサーバと情報のやりとりを行って情報を表示する情報表示装置において、前記情報表示装置で所定の動作が行われた際に記憶媒体に特典情報を書き込む特典情報書き込み手段と、前記特典情報書き込み手段により書き込まれた特典情報の書き込み履歴を記す特典情報書き込み履歴情報を保持する履歴保持手段と、前記記憶媒体の特典情報が使用された履歴を示す特典情報使用履歴情報を前記記憶媒体より読み出す履歴情報読出し手段と、を備え、前記特典情報書き込み履歴情報と前記特典情報使用履歴情報とを通信手段によって前記サーバへ通信する構成とした。これによって、サーバにて顧客の使用情報を集めることができ、サーバから配信した特典情報の効果を把握することができる。
【発明の効果】
【００１０】
本発明の情報表示装置は、ユーザの持つ記憶媒体に特典情報を書き込み、前記特典情報が使用された履歴を読み出し、前記記憶媒体に特典情報を書き込んだ履歴と、前記特典情報が使用された履歴とを併せてサーバに送信するので、これにより、店側に大きなシステムを導入することなく、サーバにて顧客の使用情報を集めることができ、サーバから配信した特典情報の効果を簡易なシステムで把握し、配信する情報に顧客のニーズを効果的に反映させることが可能となる。
【発明を実施するための最良の形態】
【００１１】
第１の発明は、ネットワークに接続され、サーバと情報のやりとりを行って情報を表示する情報表示装置において、前記情報表示装置で所定の動作が行われた際に記憶媒体に特典情報を書き込む特典情報書き込み手段と、前記特典情報書き込み手段により書き込まれた特典情報の書き込み履歴を記す特典情報書き込み履歴情報を保持する履歴保持手段と、前記記憶媒体の特典情報が使用された履歴を示す特典情報使用履歴情報を前記記憶媒体より読み出す履歴情報読出し手段と、を備え、前記特典情報書き込み履歴情報と前記特典情報使用履歴情報とを通信手段によって前記サーバへ通信することを特徴としたものである。
【００１２】
これにより、店側に大きなシステムを導入することなく、サーバにて顧客の使用情報を集めることができるので、サーバから配信した特典情報の効果を簡易なシステムで把握し、配信する情報に顧客のニーズを効果的に反映させることが可能となるものである。
【００１３】
第２の発明は、特に第１の発明の情報表示装置において、記憶媒体から識別情報を読み出しあらかじめ登録されている記憶媒体であるか否かを認証する記憶媒体認証手段を備え、情報を読み込んだ際にあらかじめ登録されている記憶媒体であった場合のみに特典情報書き込み履歴情報と特典情報使用履歴情報とをサーバへ送信するものである。
【００１４】
これにより、特典情報書き込み履歴、特典情報使用履歴を収集するユーザを特定することが出来るので、どのユーザがどの情報に興味を持ち、尚且つ配信者の意図する行動を実際に行ったかをサーバで把握することができ、使用頻度の高い情報をユーザ毎に効率よく配信することが可能となるものである。
【００１５】
第３の発明は、特に第１もしくは第２の発明の情報表示装置において、エネルギーの使用量を計測するメータ装置と通信するエネルギー使用量取得手段を備え、前記使用量取得手段によって取得されたエネルギーの使用量情報に応じて前記特典情報を記憶媒体に書き込むものである。これにより、日常的に誰でも使用するエネルギー量から特典情報を作成することが可能となるので、特典配布の対象となるユーザを拡大することが出来、尚且つユーザの使用頻度の高い情報に関する特典として配信することができ、顧客へのサービス向上を図ると共に、より多くの顧客を固定客化することが可能となるものである。
【００１６】
第４の発明は、第１〜３の発明のいずれか記載のシステムにて少なくとも一つの手段をコンピュータに実行させるためのプログラムであり、この構成によればプログラムであるのでマイコンなどを用いて、本発明の情報表示装置の一部あるいは全てを容易に実現することができる。また記録媒体に記録したり通信回線を用いてプログラムを配信したりすることでプログラムの配布が簡単にできる。
【００１７】
以下、本発明の実施の形態について、図面を用いて一実施形態について詳細に説明する。なお、この実施の形態によって本発明が限定されるものではない。
【００１８】
（実施の形態１）
図１は、本発明の実施の形態１におけるシステム説明図を示したものであり、本発明をホーム端末１３として用いた場合のシステム例を示す。
【００１９】
図１において、サーバ１１は、宅外ネットワーク１２を通じてホーム端末１３と接続され、サーバ１１より送信された情報を表示することが可能である。
【００２０】
ここで、特典情報とは、商品又はサービスに関して使用者が優待を受けることのできる情報を指し、景品と引き換えられるようなクーポンであったり、１０％ＯＦＦ、２０％ＯＦＦ、１００円ＯＦＦ等商品の割引サービスであったり、何かしらの特別な待遇を受けることができるものである。
【００２１】
次に図１のように６つのステップに分けて（１）〜（６）で本システムの動作を説明する。
【００２２】
（１）サーバ１１より、店舗Ａを紹介する広告情報を送信し、ホーム端末１３にて、広告情報とあわせた特典情報として支払い時に使用可能なポイントがある旨を表示する。例えば特典情報を、店舗Ａでの支払い時に使用可能なポイントであるとする。
【００２３】
（２）その広告情報を認知したユーザ１４は、自身が保持している記憶媒体１５をホーム端末１３と通信させることで、特典情報であるポイントを記憶媒体１５に書き込む。そのとき、特典情報は、サーバ１１より配信される広告情報に添付されて送信されても構わないし、ホーム端末１３にて作成されるものであっても構わない。前者の場合はサーバ１１より配信する広告情報のすべてに特典情報を付与して送信するので、一つの広告を一度に多量に配信するサーバに余分な負担をかけない為には後者であるほうが望ましい。
【００２４】
そして、書き込みを行った日時、書き込み相手先の記憶媒体識別ＩＤもしくは記憶媒体１５の登録情報、書き込んだ特典情報、特典情報を配信した広告に関する広告情報（広告発信元、広告ＩＤ等）などの情報を「書き込み履歴情報」として、ホーム端末に保持する。
【００２５】
（３）その後、ユーザ１４が店舗Ａで物品を買う際に記憶媒体１５と店舗Ａの持つレジ端末１６と通信させ、ポイント情報を使用した支払いを完了する。支払い完了時には、記憶媒体１５は、レジ端末１６にてポイントが使用された旨を示す使用履歴情報を保持する。このとき、特典情報、特典情報使用履歴情報を保持する媒体が、外部記憶媒体であるので、レジ端末１６と通信により情報をやりとりすることが可能である。
【００２６】
なお、記憶媒体１５に保持する使用履歴情報は、「特典情報が使用されたか否か」を示すのみのものであってもよいし、「どのような特典情報が、いつ、どこで、何に、どのように使用されたか」を示すものであってもよい。
【００２７】
（４）支払いを済ませたユーザ１４は、帰宅して再び記憶媒体１５とホーム端末１３とを通信させ、記憶媒体１５に保持している使用履歴情報をホーム端末１３に読み込ませる。
【００２８】
（５）使用履歴情報を読み込んだホーム端末１３は、記憶媒体１５の使用履歴情報と、自身が保持する記憶媒体１５への書き込み履歴情報を合わせてサーバ１１に送信する。
【００２９】
（６）ホーム端末１３より情報を受信したサーバ１１は、記憶媒体１５への書き込み履歴情報と、記憶媒体１５の使用履歴情報から、店舗Ａの広告情報を配信したときに、どのタイミングで広告が認知され、どれだけのポイントを記憶媒体１５へ書き込んで、どのくらい使用されたかを把握することができる。このとき、記憶媒体１５に保持させる使用履歴の内容によっては、いつ、どこで、何に、どのように使用されたかを把握することもできる。
【００３０】
従って、配信した広告情報がどのくらいの集客効果、消費効果をあげたかをサーバにて把握可能となる。この結果を受け、サーバではホーム端末１３に、より集客効果、消費効果の高い情報を配信することができ、顧客へのサービス向上を図ると共に、店舗Ａへより多くの顧客を固定客化することも可能となる。
【００３１】
なお、特典情報が本実施の形態１で示すようなポイントである場合には、記憶媒体１５に現在保持するポイント数のみを書き込んでも構わない。ホーム端末１３が、特典書き込み時のポイントを保持しておけば読み込み時の残ポイントと比較することで、ポイント数の差を使用履歴情報として得ることが可能となるからである。
【００３２】
また、本実施の形態１ではホーム端末１３にて記憶媒体１５への書き込み履歴情報を保持しているが、書き込み履歴情報を記憶媒体１５にて保持し、ホーム端末１３にて読み込む仕組みにしても構わない。しかし、店舗Ａ側に負担をかけず、より簡易なシステムで本発明を実現する場合には、記憶媒体１５は無線ＩＣタグやＩＣチップ等を有するポイントカードのような簡略なシステムであることが望ましく、その場合にタグやＩＣチップ等に記憶させる情報は極力抑えることが望ましい。
【００３３】
無線ＩＣタグを有するポイントカードを用いた場合には、タグに記憶させる情報はタグの識別情報とポイント情報のみで充分である。この場合には、店舗Ａで使用するレジ端末１６はタグに記憶しているポイント情報を書き換える機能を有してさえいればよく、ネットワークに接続する等のシステムは不要となる。
【００３４】
なお、（５）において認証を行い、ホーム端末１３から履歴情報を送信するホーム端末１３から履歴情報をサーバ１１に送信する際に、次に述べるようにして記憶媒体１５との認証を行い、送信する履歴情報をユーザ１４が使用する記憶媒体１５に限定をかければ、ホーム端末１３から送信される情報は、ユーザ１４のものであることが特定でき、その履歴情報は個人の嗜好性を含むものとなるので、個人のニーズに合わせた情報配信が可能となる。
【００３５】
なお、この認証処理を記憶媒体１５から履歴情報を読み込んだ際に行っても構わない。その場合には、予め記憶媒体１５を特定する識別ＩＤなどの情報をホーム端末１３に保持させておき、ホーム端末１３に登録されていない記憶媒体からの情報は認識しないよう処理を行う。
【００３６】
このとき、記憶媒体１５からユーザ１４を特定する情報を読み出してもよいが、セキュリティの面でも記憶媒体１５に個人を特定する情報を持たせることは望ましくなく、あらかじめホーム端末１３に記憶媒体１５の識別情報とユーザ１４を特定する情報を紐付けるよう登録しておき、記憶媒体１５からは識別情報を読出し、ホーム端末１３にてユーザ１４を特定し、その情報と合わせてサーバへ送信することが望ましい。このときホーム端末１３もしくはサーバ１１にてユーザ１４の個人情報は管理されているものであり、その個人情報に対するアクセスには認証のシステムを適用し、個人情報の漏洩を防ぐ。
【００３７】
また、本実施の形態１ではホーム端末１３と記憶媒体１５、記憶媒体１５とレジ端末１６との通信媒体として無線を用いているが、接触型リーダライタのようなに直接読み書きを行う形であっても、赤外線を用いた光通信や電波を用いた無線通信により非接触に読み書きを行う形であっても構わない。また、通信媒体は有線であっても無線であっても構わない。
【００３８】
図２は本発明の実施の形態１におけるホーム端末の内部構成図を示すものである。ここでは、特典情報はサーバ１１からの受信した広告情報の中に含まれている場合について説明する。
【００３９】
図２において、ホーム端末１３は、前述のサーバ１１と通信する通信手段２１、表示情報記憶手段２２、情報表示手段２３、操作受付手段２４、特典情報書き込み手段２５、履歴情報読出し手段２６、履歴保持手段２７、記憶媒体認証手段２８を持つ。
【００４０】
通信手段２１にてサーバ１１より情報を受信し、受信した広告情報を表示情報記憶手段２２に一旦保持し、その後、表示情報記憶手段２２にて保持されている広告情報を情報表示手段２３にて表示、ユーザに報知する。
【００４１】
情報表示手段２３にて特典情報を含む広告情報を認識したユーザは、記憶媒体１５に特典情報を取り込むための操作をホーム端末１３に行う。
【００４２】
ここで、図３に端末報知画面図を示し、特典情報を含む広告情報の配信例を示す。
【００４３】
図３において、ホーム端末にはタッチパネル機能を持つ表示画面３１、ＬＥＤ３２、スピーカ３３が装備されており、広告を画像表示、ＬＥＤ点滅表示、音声出力などの手段にて報知することができる。また、記憶媒体との通信口３４を設け、ここを通じて記憶媒体と通信し、記憶媒体への情報の読み書きができるようになっている。
【００４４】
画面表示を用いて広告を表示する場合を例に取ると、ホーム端末１３には通常は操作画面等の画面が表示されている。ここで例えば、広告クライアントがホーム端末１３に配信する情報として、時刻を指定したタイムセールのお知らせをサーバ１１に登録すると、ホーム端末１３の表示画面３１にて、現在の操作画面３１ａにかぶさるように広告画面３１ｂが表示される。また、この広告画面を表示する際に、ＬＥＤ３２を点滅させたり、スピーカ３３から音を鳴らして注意を喚起することもできる。
【００４５】
よって、ユーザが操作している、いないに関らず、情報を効果的に報知することが出来、常にユーザの目の届くところに設置されているので、ユーザにて操作された時はもちろんのこと、クライアントの意図した時間に合わせて情報を配信し、高い確率でユーザに認知させることも可能となり、情報配信効果を向上させることが可能である。
【００４６】
広告画面３１ｂには、入力ボタン３５が表示されており、ユーザが通信口３４に記憶媒体を近づけ、入力ボタン３５を押下すると操作受付手段２４にて入力ボタン３５の押下操作を受け付けて特典情報書き込み手段２５から通信口３４を通して記憶媒体に特典情報（ここでは保持ポイントに１００ポイントを追加するという特典情報）を記憶媒体に書き込む。
【００４７】
上記のように、操作受付手段２４にてユーザからの操作を受け付けたホーム端末１３は、記憶媒体１５に対し、特典情報の書き込みを行うと共に書き込みを行った時刻、書き込んだ記憶媒体の識別番号、表示していた広告情報の識別番号、書き込んだ特典情報内容等のうち必要な情報を特典情報書き込み履歴として履歴保持手段２７に保持する。
【００４８】
また、履歴情報読出し手段２６は履歴情報を読み出すことのできる範囲内に記憶媒体１５が近づいたことを検知したら、記憶媒体１５から特典情報使用履歴情報を読み出す。ここでは履歴情報読み出し動作のトリガを「記憶媒体を検知すること」としたが、「ホーム端末上で読み出し操作が行われる」等ユーザのアクションをトリガとして読み出しても構わない。
【００４９】
履歴情報読出し手段２６にて読み出された特典情報使用履歴情報は、書き込み時に履歴保持手段２７にて保持された特典情報書き込み履歴と紐付けされ、履歴保持手段２７にて保持される。履歴保持手段２７にて保持された履歴情報は、記憶媒体認証手段２８にてあらかじめ登録されているユーザ１４が使用している記憶媒体１５であるか否かの認証を受けた後に、通信手段２１にてサーバへ送信される。
【００５０】
本実施の形態では、サーバ１１から配信する情報を広告情報とし、画像を交えたＨＴＭＬ形式のコンテンツのような表示情報を想定しているが、サーバ１１から配信する情報はニュースのような文字情報であったり、ラジオや音楽のような音声情報や、それらの複合的な情報であったりしても構わない。
【００５１】
また、記憶媒体１５はポイントカードのようなものであってもよいし、支払いを可能とするクレジットカードのようなものに適用しても構わない。支払いを可能とするクレジットカードのようなものであった場合には、店舗側のシステムは殆ど変更する必要が無く、通常の会計処理を行うのみであるので、より多くの店舗にこのシステムを適用することが可能となる。
【００５２】
（実施の形態２）
本発明の実施の形態２では、エネルギーの使用量を計測するメータ装置と通信するエネルギー使用量取得手段を備えた情報表示装置をガス保安システムのホーム端末とした場合を例にとり、本発明の説明を続ける。なお、実施の形態１と同じ構成のものは同符号をふり、説明は省略する。
【００５３】
ここでは、エネルギーをガスとし、ガス保安システムを取り上げたが、本発明はこれに限定されるものでなく、水の使用量を計測する水道メータや、電気の使用量を計測する電力量メータ、電話線上を流れる通信量を計測するメータなどを用いたシステムに適用することも可能である。
【００５４】
図４は本発明の実施の形態２におけるシステム説明図を示すものである。本発明を用いて想定されるガス保安システムの構成例を示す。サーバ１１は、ネットワークによってユーザのホーム端末４１と接続されており、ホーム端末４１を介して接続されたガスメータ４２の検針情報や保安情報を蓄積し、管理する機能を備える。
【００５５】
ホーム端末４１は、宅内のガスメータ４２と無線で繋がれており、このホーム端末４１では、ガスメータ４２に異常が起こった場合には、警報を鳴らしたり、対処方法を表示したりすることができる。このため、このホーム端末４１は、２４時間ネットワークに常時接続されており、また、台所やリビングといった人目につきやすく、ユーザがすぐに確認できる場所に設置され、ガスの保安を監視している。本実施の形態では、宅内の通信媒体として特定小電力無線を用いている。
【００５６】
図５は本発明の実施の形態２におけるホーム端末４１の内部構成図を示すものである。ホーム端末４１は、図２に示されるホーム端末１３に加え、ガスメータと通信し、ガスの使用量を取得するエネルギー使用量取得手段５１と、取得したエネルギー使用量から特典情報を作成する特典情報作成手段５２を備える。
【００５７】
エネルギー使用量取得手段５１は定期的もしくはガスが使用されたときに、その使用量をガスメータ４２より取得する。そして、その情報を特典情報作成手段５２にて特典情報に変換する。これにより、例えば使用ガス量（ｍ２）をポイントに変換し、特典情報としてポイントを蓄積させることが可能である。また、誕生日月に一定量以上ガスを使用すると保持ポイントが２倍になる等の特典情報を生成することも可能である。
【００５８】
特典情報作成手段５２にて生成された特典情報は、情報記憶手段２２に保持され、情報表示手段２３にて広告を表示するタイミングで、特典情報として表示する。なお、ここでは広告表示操作をトリガとして特典情報を広告に合わせて表示しているが、操作受付手段２４にて予め決められた所定の操作を受け付けたことをトリガとして情報表示手段２３に情報を表示しても構わない。
【００５９】
このときには広告が必ずしも必要というわけではなく、通常表示されているガス機器の制御画面や、ガス使用量表示画面といった画面に表示される情報と共に表示する、もしくは特典情報のみを表示するでも構わない。トリガとなりうる操作は他にもポイント表示操作、画面切り換え操作、ボタン入力操作などがある。特典情報作成手段５２にて生成された特典情報は、特典情報書き込み手段２５により実施の形態１と同様に記憶媒体１５に書き込まれる。
【００６０】
このとき履歴保持手段２７に保持する特典書き込み履歴情報には、エネルギー使用量取得手段５１にて取得されたエネルギー使用量と、それにより生成された特典情報を特典情報書き込み履歴情報に含めて保持させ、サーバ１１に送信することも可能である。
【００６１】
このように、ガスの使用量に応じてホーム端末４１内で特典情報を生成すると、サーバからはすべての端末に対し、同じ情報（例えば広告情報）を送信するだけで、ユーザの利用度に応じて特典を変化させることが出来、サーバの負担を減らすと共に、ユーザの満足度の高い広告を配信することができる。
【００６２】
ひいては、ユーザの消費行動を促進することができ、エネルギー供給会社の利益を上げることができる。また、ガスという生活に密着し、誰でも使用できるインフラから得られる情報を特典情報に反映させることができるので、子供からお年寄りまですべてのユーザ層を対象としたサービスの提供が可能である。なお、本実施の形態ではガス用ホーム端末を例として用いているが、さまざまなネットワーク端末に対し、本発明を適用することが可能である。
【００６３】
また、本実施の形態２ではホーム端末４１とガスメータ１７との通信媒体として無線を用いているが、専用線による有線通信、電灯線搬送通信、赤外線通信、光ファイバ通信など、いずれの通信媒体を用いても同様の効果を有するものである。また、本実施の形態２では、ガス通信プロトコルを用いて通信制御を行うが、ＥＣＨＯＮＥＴ（登録商標）やＢｌｕｅｔｏｏｔｈ（登録商標）等の通信プロトコル制御機能を併設することで、宅内のネット家電等を制御する機能を持ち合わせることも可能である。
【００６４】
また、本実施の形態２では、ネットワークとしてインターネットを用いているが、専用線やＬＡＮ等のネットワークを用いても同様のシステムを構築することが可能であり、本システムは通信回線に依存しない。
【００６５】
なお、本実施の形態２は、特典情報作成手段５２を設けたが、特典情報はサーバから配信し、エネルギーの使用量に応じて、例えばエネルギー使用量が一定値を超えた場合にはサーバから配信される情報に含まれる特典情報を表示する、もしくは書き込み可能とするような構成であっても構わない。
【００６６】
また、本システム、情報表示装置にて少なくとも一つの手段をコンピュータに実行させるためのプログラムにすると、マイコンまたはパソコンなどを用いて本発明のシステム、情報表示装置の一部あるいは全てを容易に実現することが可能である。また、記録媒体に記録したり通信回線を用いたりすることでプログラムの配布が簡単にできるようになる。
【００６７】
なお、情報表示装置はホーム端末に限らず、携帯電話のような情報端末であってもよいし、記憶媒体（例えばＩＣカード）を内蔵した携帯電話であってもよい。
【産業上の利用可能性】
【００６８】
以上のように、本発明にかかる情報表示装置およびそのプログラムは、簡易なシステムで情報配信効果を把握することができるので、個人を対象とすることが可能であり、各々の指向性に応じた情報を発信して高い集客効果を生むことができる。
【００６９】
例えばガス配信会社Ａが情報配信を行い、ガスの使用量に応じて提携会社であるＢ社のガソリンスタンドでの割引ポイントを貯めることができるという特典情報をユーザＸに提供すれば、特典を提供されたユーザＸは、Ｂ社のガソリンスタンドでガソリンを買うようになり、Ｂ社は顧客をより多くの顧客を固定客化することができる。
【００７０】
また、より多くの特典を手に入れるため、ユーザＸはガス配信会社Ａから多くのガスを消費するようになるのでガス配信会社Ａでの利益を生むことが出来る。
【００７１】
また、車を保有していないユーザＹの端末からは、Ｂ社のガソリンスタンドでのポイント使用履歴を得ることができないので、その場合にはユーザＹの端末には例えば別の提供会社であるＣ社のレストランチェーンでの割引ポイントとして特典情報を提供する。
【００７２】
このように、情報配信業者と店舗が提携しシステムを運営していくような場面においては、本発明を用いて効率的な情報配信が出来、ユーザの消費行動を促進することが可能となり、経済効果を高めることができる。
【図面の簡単な説明】
【００７３】
【図１】実施の形態１におけるシステム説明図
【図２】実施の形態１におけるホーム端末の内部構成図
【図３】実施の形態１におけるホーム端末の報知画面図
【図４】実施の形態２におけるシステム説明図
【図５】実施の形態２におけるホーム端末の内部構成図
【符号の説明】
【００７４】
１１  サーバ
１２  ネットワーク
１３、４１  ホーム端末（情報表示装置）
１５  記憶媒体
２１  通信手段
２５  特典情報書き込み手段
２６  履歴情報読出し手段
２７  履歴保持手段
２８  記憶媒体認証手段
４２  ガスメータ（メータ装置）
５１  エネルギー使用量取得手段
【図１】
2006323628.tif 000003
【図２】
2006323628.tif 000004
【図３】
2006323628.tif 000005
【図４】
2006323628.tif 000006
【図５】
2006323628.tif 000007